(57)【特許請求の範囲】
【請求項１】
同軸フラットリボンケーブルの端部の外部被覆が除去されて露出した複数の裸ドレイン線と信号線とが交互に配列され、前記信号線がシグナルコンタクトの圧接端子に圧接され、前記裸ドレイン線がグランドコンタクトの圧接端子に圧接されている同軸フラットリボンケーブル用コネクタにおいて、
前記シグナルコンタクト及び前記グランドコンタクトを保持するベースインシュレータと前記ベースインシュレータに嵌合されるカバーインシュレータとを備え、
前記シグナルコンタクトの圧接端子と前記グランドコンタクトの圧接端子とをそれぞれ前記ケーブルの長さ方向と厚さ方向とにほぼ平行に設定し、前記シグナルコンタクトの圧接端子と前記グランドコンタクトの圧接端子とを前記ケーブルの長さ方向へ所定の間隔をおいて配置するとともに、前記シグナルコンタクトの圧接端子と前記グランドコンタクトの圧接端子とを前記ケーブルの長さ方向で同一線上に位置させ、
前記カバーインシュレータに、前記裸ドレイン線を折り曲げて収容可能な溝部を形成し、
前記信号線はクランク状に曲げられ、前記カバーインシュレータを前記ベースインシュレータに嵌合させたとき、前記信号線が前記シグナルコンタクトの圧接端子と交差して位置決めされる
ことを特徴とする同軸フラットリボンケーブル用コネクタ。
【請求項２】
前記グランドコンタクトは共通のグランドを有することを特徴とする請求項１に記載の同軸フラットリボンケーブル用コネクタ。
【請求項３】
前記グランドコンタクトの圧接端子は前記ベースインシュレータの嵌合部方向へ折り返されたばね片であることを特徴とする請求項１又は２に記載の同軸フラットリボンケーブル用コネクタ。
【発明の詳細な説明】
【０００１】
【発明の属する技術分野】
この発明は同軸フラットリボンケーブル用コネクタに関する。
【０００２】
【従来の技術】
従来の同軸フラットリボンケーブル用コネクタは、フラットリボンケーブルの信号線と接続される複数のシグナルコンタクトと、フラットリボンケーブルのドレイン線と接続される複数のグランドコンタクトとを備える。
【０００３】
図６は従来の同軸フラットリボンケーブル用コネクタに同軸フラットリボンケーブルが取り付けられた状態を説明するための図である。
【０００４】
シグナルコンタクト１１７の圧接端子１１８とグランドコンタクト１２７の圧接端子１２８とは信号線１５１（同軸フラットリボンケーブル１５０）の長さ方向に所定の間隔離して配置され、シグナルコンタクト１１７の圧接端子１１８とグランドコンタクト１２７の圧接端子１２８とはそれぞれ同軸フラットリボンケーブル１５０の長さ方向に対して所定角度だけ傾斜している。シグナルコンタクト１１７とグランドコンタクト１２７とはそれぞれソケット部１６０を有する。
【０００５】
信号線１５１とドレイン線１５２とはそれぞれシグナルコンタクト１１７の圧接端子１１８とグランドコンタクト１２７の圧接端子１２８とによって位置決めされ、接触部１６０方向へ真直ぐに延びている。
【０００６】
図７は従来の他の同軸フラットリボンケーブル用コネクタに同軸フラットリボンケーブルが取り付けられた状態を説明するための図である。
【０００７】
シグナルコンタクト２１７の圧接端子２１８とグランドコンタクト２２７の圧接端子２２８とはそれぞれ同軸フラットリボンケーブル２５０に対して所定角度傾けられ、両圧接端子２１８，２２８は同軸フラットリボンケーブル２５０と直交する１本の仮想直線状に交互に配置されている。
【０００８】
信号線２５１とドレイン線２５２とはそれぞれシグナルコンタクト２１７の圧接端子２１８とグランドコンタクト２２７の圧接端子２２８とによって位置決めされ、接触部２６０方向へ真直ぐに延びている。
【０００９】
【発明が解決しようとする課題】
上記構成の同軸フラットリボンケーブル用コネクタには以下の問題がある。
【００１０】
グランドコンタクト１２７，２２７に共通のグランドを設けられないので、ドレイン線１５２，２５２と同数のグランドコンタクト１２７，２２７が必要であり、コネクタの挿抜に大きな力を必要とする。
【００１１】
圧接端子１１８，１２８，２１８，２２８の幅は小さくできないので、高密度化しようとすると圧接端子１１８，１２８及び圧接端子２１８，２２８同士が接触してコンタクト１１７、１２７及びコンタクト２１７，２２７間がショートするおそれがある。
【００１２】
ケーブル１５０，２５０の外部被覆（シースとシールド）を所定長さだけ除去してドレイン線１５２，２５２を露出した状態（裸ドレイン線）とすると、裸ドレイン線１５２，２５２が近接するシグナルコンタクト１１７，２１７の圧接端子１１８，２１８とショートするおそれがある。
【００１３】
前記の問題に対してコンタクト１１７，２１７と接触するおそれのある部分をテープ貼りやモールドイン等で覆うことで対処できるが、この方法では作業性が悪く、位置ずれが発生し易くなる。
【００１４】
この発明はこのような事情に鑑みてなされたもので、その課題は結線作業性に優れ、シグナルコンタクトとグランドコンタクトとの間の確実な絶縁を得ることができる同軸フラットリボンケーブル用コネクタを提供することである。
【００１５】
【課題を解決するための手段】
上記課題を解決するため請求項１記載の発明は、同軸フラットリボンケーブルの端部の外部被覆が除去されて露出した複数の裸ドレイン線と信号線とが交互に配列され、前記信号線がシグナルコンタクトの圧接端子で圧接され、前記裸ドレイン線がグランドコンタクトの圧接端子で圧接されている同軸フラットリボンケーブル用コネクタにおいて、ベースインシュレータと前記ベースインシュレータに嵌合されるカバーインシュレータとを備え、前記ベースインシュレータに、前記シグナルコンタクトの圧接端子と前記グランドコンタクトの圧接端子とをそれぞれ前記ケーブルの長さ方向と厚さ方向とにほぼ平行に設け、前記シグナルコンタクトの圧接端子と前記グランドコンタクトの圧接端子とを前記ケーブルの長さ方向へ所定の間隔をおいて配置し、前記カバーインシュレータに、前記裸ドレイン線を折り曲げて収容可能な溝部を形成したことを特徴とする。
【００１６】
ベースインシュレータに、シグナルコンタクトの圧接端子とグランドコンタクトの圧接端子とをそれぞれケーブルの長さ方向と厚さ方向とにほぼ平行に設け、シグナルコンタクトの圧接端子とグランドコンタクトの圧接端子とをケーブルの長さ方向へ所定の間隔をおいて配置したので、各コンタクト間に所定の間隔を確保でき、また裸ドレイン線が第１の収容溝内に折り曲げられて収容されるので、裸ドレイン線の先端が信号線の先端より後退し、裸ドレイン線がシグナルコンタクトの圧接端子と接触することを回避できる。しかもケーブルに特別な加工をすることなく結線を行うことができ、結線作業性が向上する。また、信号線はクランク状に曲げられ、カバーインシュレータをベースインシュレータに嵌合させたとき、信号線がシグナルコンタクトの圧接端子と交差して位置決めされるので、カバーインシュレータをベースインシュレータに嵌合させたとき、信号線はシグナルコンタクトの圧接端子に圧接される。
【００１７】
請求項２記載の発明は、請求項１に記載の同軸フラットリボンケーブル用コネクタにおいて、前記グランドコンタクトは共通のグランドを有することを特徴とする。
【００１８】
グランドコンタクトは共通のグランドを有するので、同軸フラットリボンケーブルの同軸線と同数のグランドコンタクトを設ける必要がなくなる。
【００１９】
請求項３記載の発明は、請求項１に記載の同軸フラットリボンケーブル用コネクタにおいて、前記グランドコンタクトの圧接端子は前記ベースインシュレータの嵌合部方向へ折り返されたばね片であることを特徴とする。
【００２０】
グランドコンタクトの圧接端子はベースインシュレータの嵌合部方向へ折り返されたばね片であるので、裸ドレイン線を第２の溝内に確実に保持できる。
【００２３】
【発明の実施の形態】
以下、この発明の実施の形態を図面に基づいて説明する。
【００２４】
図１はこの発明の一実施形態に係る同軸フラットリボンケーブル用コネクタの結線前の状態を示す縦断面図、図２はベースインシュレータの概略構成図、図３はカバーインシュレータへの同軸フラットリボンケーブルを布線した状態を説明するための図である。
【００２５】
同軸フラットリボンケーブル用コネクタは、ベースインシュレータ１０と、カバーインシュレータ３０とを備える。
【００２６】
ベースインシュレータ１０はシグナルコンタクト１１とグランドコンタクト２１とを備える。シグナルコンタクト１１とグランドコンタクト２１とはベースインシュレータ１０の厚さ方向（図１の上下方向）に２段設けられている。
【００２７】
シグナルコンタクト１１は相手側コネクタのピン（図示せず）と接触可能な接点部１２ａを有する端子部１２と、収納孔１３に挿入される圧入部１４と、圧入部１４から同軸フラットリボンケーブル５０の長さ方向へほぼ真直ぐに延びる連結部１７とを備える。
【００２８】
連結部１７の先端には同軸フラットリボンケーブル５０の信号線５１を圧接によって接続する圧接端子１８が形成されている。圧接端子１８には信号線５１を圧接するための溝１８ａが形成されている。圧接端子１８は同軸フラットリボンケーブル５０の長さ方向と厚さ方向とに対して平行である。
【００２９】
グランドコンタクト２１は、相手側コネクタのピンと接触可能な接点部２２ａを有する端子部２２と、収納孔１３に挿入される圧入部２４と、圧入部２４から同軸フラットリボンケーブル５０の長さ方向へほぼ真直ぐにシグナルコンタクト１１より更に延びる連結部２７とを備える。グランドコンタクト２１の数はシグナルコンタクト１１の数よりも少ない。
【００３０】
端子部１２と端子部２２の部分はコネクタ１１，２１のソケット部を構成する。
【００３１】
連結部２７はシグナルコンタクト１７の間を通っている（図２参照）。
【００３２】
また、連結部２７の後端はグランドコンタクト２１同士を接続する共通のグランド２７ａに連結されており、グランド２７ａの後端には端子部１２，２２の方へＵ形に折り返されたばね片（圧接端子）２８が形成されている。ばね片２８は同軸フラットリボンケーブル５０の長さ方向と厚さ方向とに対して平行である。
【００３３】
カバーインシュレータ３０はベースインシュレータ１０に嵌合される。このカバーインシュレータ３０には同軸フラットリボンケーブル５０が布線されている。各カバーインシュレータ３０にはシグナルコンタクト１１の圧接端子１８を収容する第１の溝部３１と、グランドコンタクト２１のばね片２８を収容する第２の溝部（溝部）３２とが形成されている。
【００３４】
第１の溝部３１の幅（同軸フラットリボンケーブル５０の長さ方向幅）はシグナルコンタクト１１の圧接端子１８の幅より若干広い。
【００３５】
第２の溝部３２の幅（同軸フラットリボンケーブル５０の長さ方向幅）はばね片２８の幅（同軸フラットリボンケーブル５０の長さ方向幅）と裸ドレイン線５２の径の２倍との和より狭い。
【００３６】
同軸フラットリボンケーブル５０の裸ドレイン線５２は第２の溝部３２の壁面に沿って折り曲げられている。
【００３７】
同軸フラットリボンケーブル５０の信号線５１は第２の溝部３２を越えてソケットコンタクト方向へ真直ぐに延び、第１の溝部３１に通されるときにクランク状に曲げられる（図５参照）。
【００３８】
図４はこの発明の一実施形態に係る同軸フラットリボンケーブル用コネクタの結線状態を示す縦断面図、図５は同軸フラットリボンケーブル用コネクタの結線状態を示す横断面図である。
【００３９】
図１の配置からカバーインシュレータ３０をベースインシュレータ１０に嵌合させる。
【００４０】
グランドコンタクト２１のばね片２８は裸ドレイン線５２が折り曲げられて収容された第２の溝部３２に挿入される。
【００４１】
このばね片２８はその直線部２８ａ、曲線部２８ｂ及び先端部２８ｃで裸ドレイン線５２を第２の溝部３２の壁面に押し付けている。このとき、裸ドレイン線５２の先端はカバーインシュレータ３０の第１の溝部３１と第２の溝部３２との間の平坦部３３に位置する。
【００４２】
シグナルコンタクト１１の圧接端子１８は第１の溝部３１内に挿入され、溝１８ａ部分で信号線５１が圧接され位置決めされる。このとき、クランク状に曲げられた信号線５１は、圧接端子１８に対して所定の角度で交差した状態で第１の溝部３１内に配置され、先端がカバーインシュレータ３０の隣り合う壁面間に挟持される。
【００４３】
この実施形態によれば、以下の効果を発揮できる。
【００４４】
図６に示す同軸フラットリボンケーブル用コネクタでは、同軸フラットリボンケーブル１５０の長さ方向に対するシグナルコンタクト１１７の圧接端子１１８の傾斜角度が大きくなると、圧接端子１１８の一部がグランドコンタクト１２７の上方に位置することになるので、シグナルコンタクト１１７とグランドコンタクト１２７とが短絡する虞が強くなる。同軸フラットリボンケーブル１５０の長さ方向に対する圧接端子１１８の傾斜角度が更に大きくなると、圧接端子１１８の中心部間の距離は変化しないが、互いに隣接する圧接端子１１８間の最短距離（圧接端子１１８の厚さ方向における圧接端子１１８間の距離）が短くなるので、圧接端子１１８同士が短絡する虞が生じる。同様に、同軸フラットリボンケーブル１５０の長さ方向に対するグランドコンタクト１２７の圧接端子１２８の傾斜角度が大きくなると、圧接端子１２８同士が短絡する虞が生じる。これに対し、この実施形態では、シグナルコンタクト１１の圧接端子１８及びグランドコンタクト２１のばね片２８は、同軸フラットリボンケーブル５０の長さ方向及び厚さ方向に対して平行である（すなわち傾斜していない）ので、シグナルコンタクト１１とグランドコンタクト２１との間隔や圧接端子１１８同士の間隔やばね片２８同士の間隔を従来のコネクタよりも大きく保つことができる。その結果、シグナルコンタクト１１とグランドコンタクト２１とのショート、シグナルコンタクト１１同士のショート、グランドコンタクト２１同士のショートを防止できるとともに、高密度化を実現することができる。
【００４５】
カバーインシュレータ３０をベースインシュレータ１０に嵌合させたとき、裸ドレイン線５２の先端が第１の溝部３１と第２の溝部３２との間に位置決めされるので、同軸フラットリボンケーブル５０のシースとシールドとを除去したとき、裸ドレイン線５２と圧接端子１８との間に十分な距離を確保でき、裸ドレイン線５２とシグナルコンタクト１１との間のショートを防止できる。
【００４６】
結線作業を行うに当たり、同軸フラットリボンケーブル５０のシースとシールドとを除去するだけでよく、テープ貼りやモールドイン等の作業が不要であるので、結線作業が簡単となり、製品のコストダウンを図ることができる。
【００４７】
グランドコンタクト２１の後端部は相互に接続された共通のグランド２７ａとなっているので、裸ドレイン線５２をばね片２８を介して共通のグランド２７ａに接続することでグランドコンタクト２１の数を減らし、同軸フラットリボンケーブル５０（カバーインシュレータ３０）の挿抜力を低減させることができる。
【００４８】
ばね片２８の弾性力によって裸ドレイン線５２を第２の溝部３２の壁面に押し付けているので、裸ドレイン線５２を第２の溝３２内に確実に保持でき、グランドコンタクト２７と裸ドレイン線５２との接続状態が安定する。
【００４９】
信号線５１は圧接端子１８に対して所定の角度で交差した状態で圧接端子に圧接されるので、位置ずれ等が発生しない。
【００５０】
【発明の効果】
以上に説明したように請求項１に記載の発明によれば、シグナルコンタクトとグランドコンタクトとの間に所定の間隔を確保でき、また第２の溝部３２によって裸ドレイン線の先端を信号線の先端より後退させることが可能であるので、裸ドレイン線とシグナルコンタクトの圧接端子との接触を回避できる。しかもケーブルに特別な加工をすることなく結線を行うことができるので、結線作業性が向上する。
【００５１】
請求項２に記載の発明によれば、同軸フラットリボンケーブルの同軸線と同数のグランドコンタクトを設ける必要がなくなり、同軸フラットリボンケーブルの挿抜力を低減できる。
【００５２】
請求項３に記載の発明によれば、裸ドレイン線を第２の溝内に確実に保持でき、グランドコンタクトと裸ドレイン線との安定した接続状態が得られる。
【００５３】
請求項４に記載の発明によれば、カバーインシュレータをベースインシュレータに嵌合させたとき、信号線はシグナルコンタクトの圧接端子に圧接され、位置ずれが起きない。
【図面の簡単な説明】
【図１】  図１はこの発明の一実施形態に係る同軸フラットリボンケーブル用コネクタの結線前の状態を示す縦断面図である。
【図２】  図２はベースインシュレータの概略構成図である。
【図３】  図３はカバーインシュレータへの同軸フラットリボンケーブルを布線した状態を説明するための図である。
【図４】  図４はこの発明の一実施形態に係る同軸フラットリボンケーブル用コネクタの結線状態を示す縦断面図である。
【図５】  図５は同軸フラットリボンケーブル用コネクタの結線状態を示す横断面図である。
【図６】  図６は従来の同軸フラットリボンケーブル用コネクタに同軸フラットリボンケーブルが取り付けられた状態を説明するための図である。
【図７】  図７は従来の他の同軸フラットリボンケーブル用コネクタに同軸フラットリボンケーブルが取り付けられた状態を説明するための図である。
【符号の説明】
１０  ベースインシュレータ
１１  シグナルコンタクト
１８  圧接端子
２１  グランドコンタクト
２７ａ  共通のグランド
２８  ばね片（圧接端子）
３０  カバーインシュレータ
３２  第２の溝部（溝部）
【図１】
0004005206.tif 000002
【図２】
0004005206.tif 000003
【図３】
0004005206.tif 000004
【図４】
0004005206.tif 000005
【図５】
0004005206.tif 000006
【図６】
0004005206.tif 000007
【図７】
0004005206.tif 000008